(57)【要約】      （修正有）【課題】化粧パネルが高温になることがなく使用者の安全を確保でき、キッチン台前面の意匠の統一を図ることができる加熱調理器を提供する。【解決手段】加熱手段を内部に有する本体と、被加熱物を載置する天板２ｂを備える加熱調理器であって、加熱調理器はキッチン台２００に収容された状態で使用され、キッチン台の前面側に位置する加熱調理器の本体の前面に、本体内に設けられた調理庫１０内に被調理物を出し入れするための開口を有し、調理庫の開口を閉塞する開閉自在の扉体６を備え、扉体は少なくとも調理庫の開口と対向する閉塞面とキッチン台の前面側に位置する表面とを有し、閉塞面側から表面側への伝導熱を抑制する断熱構造を備え、キッチン台の前面に取り付けられている面材と同一素材で、キッチン台の前面とほぼ同じ平面となる着脱自在の扉体用化粧パネル２１を、扉体の表面側となる位置に取り付けるようにした。【選択図】図３
2017040394.tif 000002
【特許請求の範囲】
【請求項１】
上面が開口し、被加熱物を加熱する加熱手段を内部に有する本体と、
前記本体の前記上面開口を閉塞して取り付けられる、前記被加熱物を載置する天板を備える加熱調理器であって、
前記加熱調理器は、キッチン台に収容された状態で使用され、
前記キッチン台の前面側に位置する前記加熱調理器の前記本体の前面に、前記本体内に設けられた調理庫内に被調理物を出し入れするための開口を有し、前記調理庫の前記開口を閉塞する開閉自在の扉体を備え、
前記扉体は、少なくとも前記調理庫の前記開口と対向する閉塞面と、前記キッチン台の前面側に位置する表面とを有し、前記閉塞面側から前記表面側への伝導熱を抑制する断熱構造を備えており、
前記キッチン台の前面に取り付けられている面材と同一素材で、前記キッチン台の前面とほぼ同じ平面となる着脱自在の扉体用化粧パネルを、前記扉体の表面側となる位置に取り付けるようにしたことを特徴とする加熱調理器。
【請求項２】
前記扉体の前記断熱構造は、前記閉塞面と前記表面の間に断熱材を挟む構造であることを特徴とする請求項１に記載の加熱調理器。
【請求項３】
前記扉体の前記断熱構造は、前記閉塞面と前記表面の間に１つ、あるいは複数の空気層を設けた構造であることを特徴とする請求項１に記載の加熱調理器。
【請求項４】
前記扉体用化粧パネルに、前記扉体を開閉するときの手掛けを備えたことを特徴とする請求項１〜請求項３何れか１項に記載の加熱調理器。
【請求項５】
前記手掛けの形状は、前記キッチン台の収納部の手掛けと同じ形状であることを特徴とする請求項４に記載の加熱調理器。
【請求項６】
前記扉体の右側あるいは左側あるいは両側の前記本体の前記前面に、取り付けた状態で前記キッチン台の前面とほぼ同じ平面となる着脱自在の前面用化粧パネルを取り付けたことを特徴とする請求項１〜請求項５何れか１項に記載の加熱調理器。
【請求項７】
前記前面用化粧パネルは前記キッチン台の前面に取り付けられている面材と同一素材であることを特徴とする請求項６に記載の加熱調理器。
【請求項８】
前記調理庫が稼働していることを報知する報知手段を備えたことを特徴とする請求項１〜請求項７何れか１項に記載の加熱調理器。
【請求項９】
前記報知手段は音声出力手段であり、音声により報知することを特徴とする請求項８に記載の加熱調理器。
【請求項１０】
前記報知手段は表示手段であり、前記表示手段は前記前面用化粧パネル側から視認可能に、前記本体の前記前面側に設けられていることを特徴とする請求項８に記載の加熱調理器。
【請求項１１】
前記報知手段は表示手段であり、前記表示手段は前記天板上から視認可能に、前記本体内に設けられていることを特徴とする請求項８に記載の加熱調理器。
【請求項１２】
前記報知手段は表示手段であり、前記表示手段は前記前面用化粧パネルに設けられていることを特徴とする請求項８に記載の加熱調理器。
【請求項１３】
前記本体内に前記天板上から視認可能に設けられた画像が表示可能な画像表示手段と
前記調理庫内に収容された前記被調理物を撮影する撮影手段と、を備え、
前記調理庫が稼働しているときに、前記撮影手段が撮影した前記被調理物の撮影画像を前記画像表示手段に表示するようにしたことを特徴とする請求項１〜請求項１２何れか１項に記載の加熱調理器。
【発明の詳細な説明】
【技術分野】
【０００１】
本発明は、キッチン台に収容される加熱調理器に関する。
【背景技術】
【０００２】
キッチン台の天板から落とし込むようにしてキッチン台に収容される加熱調理器（ビルトイン式加熱調理器とも言う）は、加熱に電気を用いるもの、ガスを用いるものを問わず広く知られており、それらの加熱調理器の中には、内部に魚等の被調理物を収納して加熱調理する調理庫を備えているものも多く存在する。
【０００３】
このような調理庫は、内部に空間を有する直方体形状をしており、その１面が開放していて、この開放している一面から被調理物を調理庫内に出し入れするようになっていて、その開放している一面を閉塞するための開閉可能な扉体を備えている。この扉体は、基本的にキッチン台の前面側に露出するようになっている。
【０００４】
キッチン台は全体で統一された意匠で構成され、特にキッチン台の前面側は引き出し等で区分けされているが、それらが同一の面材で同一色に統一されていたり、区分けされている部分の面が凹凸になることなく面の高さがほぼ同一となるように構成されていたりしている。
【０００５】
しかし、キッチン台の前面側に露出した調理庫の扉体により、その部分だけ意匠上の統一が図れなかったり、扉体が他の面よりも前方に位置したり、あるいは後方に位置したりして面の高さがほぼ同一とならないことがある。
【０００６】
そこで、特許文献１のように、調理庫の扉体に化粧パネルを取付け、キッチン台の前面側と合わせた化粧パネルに変更することで意匠の統一を図ったり、化粧パネルによりキッチン台の前面側と同一面になるように構成したりするものが開示されている。
【先行技術文献】
【特許文献】
【０００７】
【特許文献１】特開２００７−２６８０８０号公報（第７頁、図７）
【発明の概要】
【発明が解決しようとする課題】
【０００８】
しかしながら、特許文献１に記載の従来の加熱調理器では、調理庫の開放している面を閉塞する、調理庫内の高温を受けている前面パネルに隙間無く化粧パネルを取り付けているので、前面パネルから化粧パネルに高温が伝導してしまい、そこに触れてやけどになる虞がある、という課題がある。
【０００９】
また、前面パネルから化粧パネルに高温が伝導するので、キッチン台と同一の面材ではその高温に耐えられず、耐熱性の高い材料を使用することで、材質の違いから色合いを揃えることが難しく、意匠の統一が図りにくい、という課題がある。
【００１０】
本発明は、以上のような課題を解決するためになされたもので、化粧パネルが高温になることがなく使用者の安全を確保でき、キッチン台前面の意匠の統一を図ることができる加熱調理器を提供することを目的とする。
【課題を解決するための手段】
【００１１】
課題を解決する本発明に係る加熱調理器は、上面が開口し、被加熱物を加熱する加熱手段を内部に有する本体と、本体の上面開口を閉塞して取り付けられる、被加熱物を載置する天板を備える加熱調理器であって、加熱調理器は、キッチン台に収容された状態で使用され、キッチン台の前面側に位置する加熱調理器の本体の前面に、本体内に設けられた調理庫内に被調理物を出し入れするための開口を有し、調理庫の開口を閉塞する開閉自在の扉体を備え、扉体は、少なくとも調理庫の開口と対向する閉塞面と、キッチン台の前面側に位置する表面とを有し、閉塞面側から表面側への伝導熱を抑制する断熱構造を備えており、キッチン台の前面に取り付けられている面材と同一素材で、キッチン台の前面とほぼ同じ平面となる着脱自在の扉体用化粧パネルを、扉体の表面側となる位置に取り付けるようにしたものである。
【発明の効果】
【００１２】
本発明に係る加熱調理器は、調理庫の開口を閉塞する扉体の閉塞面側から表面側への伝導熱を抑制する断熱構造を備えていて、その扉体にキッチン台の前面に取り付けられている面材と同一素材で、キッチン台の前面とほぼ同じ平面となる着脱自在の扉体用化粧パネルを扉体の表面側となる位置に取り付けるようにしたので、調理庫内で調理を行っても扉体の表面が熱くなりにくく、その表面側に位置する扉体用化粧パネルも熱くならないため、使用者が調理中に扉体用化粧パネルに触ったとしてもやけどすることがなく安全が確保される。
【００１３】
また、扉体用化粧パネルが熱くならないため、それほど耐熱の高くないキッチン台の前面に取り付けられている面材と同一の素材を使用することができ、扉体用化粧パネルをキッチン台の前面とほぼ同じ平面となるに取り付けることで、キッチン台前面の意匠の統一性を図ることができ、外観を向上させることができる。
【図面の簡単な説明】
【００１４】
【図１】本発明の実施の形態１に係る加熱調理器が収容されたキッチン台の全体を示す斜視図である。
【図２】本発明の実施の形態１に係る加熱調理器をキッチン台に収容しない状態で、加熱庫の扉体を引き出した状態の１実施例の斜視図である。
【図３】本発明の実施の形態１に係る加熱調理器をキッチン台に収容された状態で側面側から見た模式断面図である。
【図４】本発明の実施の形態１に係る加熱調理器の他の実施例１をキッチン台に収容された状態で側面側から見た模式断面図である。
【図５】本発明の実施の形態１に係る加熱調理器の他の実施例２をキッチン台に収容された状態で側面側から見た模式断面図である。
【図６】キッチン台の収納部を側面側から見た模式断面図である。
【図７】本発明の実施の形態１に係る加熱調理器の本体前面側の表示手段をキッチン台に収容された状態で側面側から見た模式断面図である。
【図８】本発明の実施の形態２に係る加熱調理器の天板上から視認できる表示手段をキッチン台に収容された状態で側面側から見た模式断面図である。
【図９】本発明の実施の形態２に係る加熱調理器をキッチン台に収容しない状態で、加熱庫の扉体を引き出した状態の１実施例の斜視図である。
【図１０】本発明の実施の形態３に係る加熱調理器の化粧パネルに設けた表示手段をキッチン台に収容された状態で側面側から見た模式断面図である。
【図１１】本発明の実施の形態４に係る加熱調理器の撮影手段をキッチン台に収容された状態で側面側から見た模式断面図である。
【図１２】本発明の実施の形態４に係る加熱調理器をキッチン台に収容しない状態での斜視図である。
【発明を実施するための形態】
【００１５】
実施の形態１．
（全体の構成）
図１は本発明の実施の形態１に係る加熱調理器が収容されたキッチン台の全体を示す斜視図、図２は本発明の実施の形態１に係る加熱調理器をキッチン台に収容しない状態で、加熱庫の扉体を引き出した状態の１実施例の斜視図、図３は本発明の実施の形態１に係る加熱調理器をキッチン台に収容された状態で側面側から見た模式断面図である。以下、図１〜図３により本発明の実施の形態１に係る加熱調理器全体の概略構成を説明する。なお、それぞれの図において、同じ部分または相当する部分には同じ符号を付し、一部の説明を省略する場合がある。また、必要に応じて図１〜図３以外の図面も説明に使用する場合がある。
【００１６】
図１に示すように、本発明の実施の形態１の加熱調理器１００は、キッチン台２００に収容される。キッチン台２００の上面にはキッチンカウンター２０１が設けられ、キッチンカウンター２０１は被調理物の下ごしらえ等を行える平坦なスペースを有し、洗い物等を行うシンク２０２、水やお湯を供給する水栓器具２０３を備える。
【００１７】
キッチン台の正面側は複数の区画に分割されており、例えば、その区画の１つは収納部２１１のような収納スペースとなっている。詳しくは、図６に示すように上方が開口した箱状の収納部２１１がキッチン台２００内に収容されていて、正面側に面材２１２が取り付けられている。面材の上部には収納部手掛け２１３が設けられていて、その収納部手掛け２１３に手を掛けて収納部２１１を引き出すことが可能となっている。
【００１８】
収納部２１１以外の区画も、正面側は面材２１２、収納部手掛け２１３と同一の色、素材の部材で構成されており、正面側の意匠の統一が図られている。
【００１９】
加熱調理器１００の正面側においても、意匠の統一が図られているが、その構成については後段で詳しく説明し、まず、単体の加熱調理器１００の構成を説明する。図２に示すように、本体１の上面に鍋等の被加熱物が載置可能な非磁性体、例えば結晶化ガラスからなるトッププレート２ｂと、その外周に図示しないシリコン系接着剤等で固着された金属、例えばステンレスで構成された枠体２ａを備えてなる天板２を備えている。
【００２０】
天板２は、前側に各種の操作入力を行う天板操作部４を備えている。天板操作部４には
複数の操作スイッチが設けられている。なお、天板操作部４であるが、この実施の形態では枠体２ａに設けられている例を示しているが、これに限定されるものではなく、トッププレート２ｂに静電スイッチのようなタッチ式のスイッチで設けられていてもよい。
【００２１】
また、トッププレート２ｂには鍋等の被加熱物を載置する加熱口を示す左加熱口３ａ、右加熱口３ｂ、中央加熱口３ｃが設けられており、印刷等の表示で示されている。その各加熱口に対応して、トッププレート２ｂ下方の本体１内には、図３に示す左加熱口用誘導加熱コイル１２ａ、後段で説明する右加熱口用誘導加熱コイル１２ｂ（図７参照）、中央加熱口用誘導加熱コイル１２ｃ（図７参照）が配設されている。
【００２２】
このように加熱口が３つ設けられたものは３口タイプの加熱調理器と呼ばれるもので、加熱口に対応する加熱手段は、例えば、３口それぞれが誘導加熱コイルからなる誘導加熱手段とした構成や、その３口の内の１口を誘導加熱手段ではない加熱手段、例えばラジエントヒーターのような電熱線からなる輻射式加熱手段とした構成としてもよく、適宜組合せることが可能である。
【００２３】
それから、トッププレート２ｂの前側には左加熱口３ａ、右加熱口３ｂ、中央加熱口３ｃの設定条件や調理の経過状況等を表示する左加熱口専用表示部５ａ、右加熱口専用表示部５ｂ、総合表示部５ｃが設けられている。
【００２４】
総合表示部５ｃは、中央加熱口３ｃの設定条件や調理の経過状況等を表示するだけではなく、後述する庫内に魚等の被調理物を収容して、グリル調理やオーブン調理のような加熱調理をする調理庫１０の設定条件や調理の経過状況等も表示するようになっている。
【００２５】
中央加熱口３ｃと調理庫１０が同時に使用されている場合は、それぞれの設定条件や調理の経過状況等を交互に表示するようにしてもよいし、区分けされた表示位置にそれぞれの設定条件や調理の経過状況等を同時に表示するようにしてもよい。
【００２６】
左加熱口専用表示部５ａ、右加熱口専用表示部５ｂ、総合表示部５ｃに対応して、トッププレート２ｂ下方の本体１内には、図示しない基板に搭載された表示手段が設けられている。表示手段は液晶（ＬＣＤ）によるものや、有機電界発光（Ｅｌｅｃｔｒｏ  Ｌｕｍｉｎｅｓｃｅｎｃｅ：ＥＬ）素子などによるものが使用される。
【００２７】
なお、本発明の実施の形態では、加熱口それぞれに対応した表示部を備えたもので説明したが、表示部についてはこれに限定されるものではなく、１つの表示部で交互に、あるいは一度に全ての加熱口の設定条件を表示するものでもよい。また、設定条件の火力をＬＥＤの点灯、あるいは点滅の数で表すような表示手段を用いたものでもよく、適宜、選定可能である。
【００２８】
天板２の下方で前面板１１の後方には、後述するがスイッチング素子（図示せず）や整流回路（図示せず）、その他電子部品（図示せず）から構成されたそれぞれの誘導加熱コイル用インバーター回路を内包したインバーター基板４２、調理庫１０の図示しない加熱手段に電力を供給する電源基板４３、それらを冷却する冷却ファン４４が配設されている（図７参照）。冷却ファン４４の冷却風は、インバーター基板４２、電源基板４３を冷却した後、それぞれの誘導加熱コイルを冷却している。
【００２９】
なお、本発明の実施の形態では、インバーター基板４２と電源基板４３をそれぞれ独立した基板として説明したが、これに限定されるものではなく、インバーター基板と電源基板が一枚の基板で構成されるものでもよい。また、複数の加熱口毎にインバーター基板が用意されているもの、例えば加熱口が３つあれば３枚のインバーター基板が用意されているものであってもよく、適宜、選定可能である。
【００３０】
前面板１１の並びに扉体６が設けられている。扉体６は図２に示すように、前面が開口した調理庫１０の前面を閉塞するためのもので、扉体６に受け皿７を直接取付けて、受け皿７を調理庫１０内から引き出したり、収容したりするようになっている。受け皿７の上には被調理物を載置する焼き網８が配置されている。
【００３１】
なお、本発明の実施の形態では、扉体６に受け皿７を直接取付けて、受け皿７を調理庫１０内に収容する形態となっているが、これに限定されるものではなく、調理庫１０内にレールを設け、そのレールに扉体６を連結し、レールに受け皿７を載置して扉体６と連動したレールにより受け皿７を調理庫１０内から引き出したり、収容したりするようにしてもよい。
【００３２】
また、被調理物を載置する焼き網を用いたもので説明したが、これに限定されるものではなく、焼き網が無く受け皿に直接被調理物を載置する構成であってもよい。
【００３３】
扉体６は、後述する扉体用化粧パネル２１を取り付けることで手掛け２２により開閉を行うようになるため、図２に示す扉体６の状態では積極的に手を掛ける構造を備えていない。しかし、扉体６の側面に凹部を設け、そこに指を掛けて簡易的に開閉させるようにしてもよい。
【００３４】
天板の後側には、調理庫１０で調理を行ったときの排気、排熱をするための排気口２ｃが設けられている。排気口２ｃからは、その他に冷却ファン４４によりインバーター基板４２、電源基板４３、それぞれの誘導加熱コイル等を冷却した冷却風も排出される。排気口の上方には、排気口カバー９ａ、９ｂが配置されている。排気口カバー９ａ、９ｂは、排気口２ｃに異物が入らないようにするためのものである。
【００３５】
次に図３により、キッチン台２００に収容された状態の加熱調理器１００を説明する。図３は、図１に示すＡ−Ａ線で切断した状態を表している。加熱調理器１００は、キッチンカウンター２０１に設けられた開口２０１ａから、キッチン台２００内に本体１を落とし込むようにして収容される。このようにキッチン台２００に収容される加熱調理器１００は、ビルトインタイプあるいはドロップインタイプと呼ばれる。
【００３６】
天板２の面積はキッチンカウンター２０１の開口２０１ａの面積よりも大きく、天板２が開口２０１ａの縁に掛かることによって、本体１がぶらさがるようにして支持されている。Ａ−Ａ線で切断した位置のトッププレート２ｂの下方には左加熱口用誘導加熱コイル１２ａが配置されている。
【００３７】
加熱調理器１００の調理庫１０には排気穴１３が設けられている。焼き網８に載置された被調理物が、調理庫１０に備えられた図示しない加熱手段により調理されたときに発生する油煙や高温となった空気を調理庫１０外へ排出するためのものである。
【００３８】
排気穴１３から排出された油煙や高温となった空気は排気通路１４を通り、天板２に設けられた排気口２へ送られて加熱調理器１００の外へ排出されるようになっている。なお、ここでは説明していないが、排気穴１３の外、言い替えると排気通路１４内に油煙を軽減する触媒を設けてもよい。触媒を設けることで、加熱調理器１００の外へ排出される排気の油分や臭いを抑えることができる。
【００３９】
加熱調理器１００がキッチン台２００に収容された状態で、調理庫１０の開口を閉塞する扉体６は、キッチン台２００の、例えば面材２１４正面側よりも一段下がったキッチン台２００の内側に、その前面が位置するようになっている。
【００４０】
この一段下がった扉体６の前面に、面材２１４等と同色、同素材で形成された扉体用化粧パネル２１を取り付ける。取付け方法については詳細に説明していないが、図示しないネジによる締結、図示しない爪形状と穴との係止、係合等、取付け方法については１つの方法に限らず採用可能である。
【００４１】
扉体用化粧パネル２１は、扉体６に取り付けられたとき、その前側位置が面材２１４の正面側位置とほぼ同じ位置になる厚さに設定される。そして、扉体用化粧パネル２１の上方には手掛け２２が設けられている。
【００４２】
手掛け２２を引くことで、扉体用化粧パネル２１が取り付けられた扉体６が一緒に引かれて、調理庫１０の開口が開き受け皿７と焼き網８を引き出すことができて、被調理物を載置することができる。被調理物を載置した後、手掛け２２を押すと、受け皿７と焼き網８が調理庫１０内に収容され、開口が扉体６で閉塞される。
【００４３】
調理庫１０内は調理が行われると高温となるので、調理庫１０の開口を閉塞する扉体６も高温の影響を受ける。扉体６には扉体用化粧パネル２１が取り付けられ、その扉体用化粧パネル２１は加熱調理器１００の使用者が容易に触れることができるものである。
【００４４】
そこで、調理庫１０内の熱を扉体用化粧パネル２１に伝わりにくくするため、扉体６は断熱構造を備えている。扉体６の断熱構造は、調理庫１０の開口を閉塞する面側の、扉体６の閉塞面側板６ｂと、扉体用化粧パネル２１が取り付けられる面側の扉体６の表面側板６ａの間に断熱材６ｃを挟み込んだものである。
【００４５】
閉塞面側板６ｂは、閉塞面側を平面として４辺に壁が立っている形状、言い替えると平たい直方体の一面が開口した容器状であり、その中に断熱材６ｃを挿入する。その断熱材６ｃが入っている閉塞面側板６ｂの開口を閉塞するように、閉塞面側板６ｂよりも一回り大きい、直方体の一面が開口した容器状の表面側板６ａを被せている。
【００４６】
扉体６をこのような構造にしたので、調理庫内１０内の熱が扉体６を介して扉体用化粧パネル２１に伝わることを抑制できる。よって、扉体用化粧パネル２１の温度が高くならないので、使用者が調理庫１０で調理中に扉体用化粧パネル２１に触ってもやけどを受傷することがなく、安全が確保される。
【００４７】
また、扉体用化粧パネル２１に伝わる熱を抑制し、扉体用化粧パネル２１の温度が高くならないので、キッチン台２００の正面側に使用されている耐熱性があまり高くない面材２１４と同一の材質で扉体用化粧パネル２１を構成することが可能となる。
【００４８】
なお、ここでは断熱構造として断熱材６ｃを挟んだ構成を説明したが、断熱材６ｃを使用するものに限定されるものではなく、他の断熱構造であってもよい。
【００４９】
例えば図４は本発明の実施の形態１に係る加熱調理器の他の実施例１をキッチン台に収容された状態で側面側から見た模式断面図で、図４に示すように、平たい直方体の一面が開口した容器状の閉塞面側板６ｂの開口を閉塞するように、閉塞面側板６ｂよりも一回り大きい、直方体の一面が開口した容器状の表面側板６ａを被せて扉体６を構成し、その内部にできた１つの空気層３１を断熱層とする断熱構造でもよい。
【００５０】
あるいは、図５は本発明の実施の形態１に係る加熱調理器の他の実施例２をキッチン台に収容された状態で側面側から見た模式断面図で、図５に示すように、平たい直方体の一面が開口した容器状の閉塞面側板６ｂの開口を閉塞するように、閉塞面側板６ｂよりも一回り大きい、直方体の一面が開口した容器状の表面側板６ａを被せて扉体６を構成し、その内部にできた空気層を仕切り板３４で仕切り、第１の空気層３２と第２の空気層３３を形成し、その複数の空気層を断熱層とする断熱構造でもよい。
【００５１】
ここまで説明したように、この実施の形態の加熱調理器１００の調理庫１０の扉体６は、その表面側に扉体用化粧パネル２１が取り付けられるため、調理庫１０内を視認する窓構造を備えない。よって、調理庫１０が稼働中であることを報知する必要がある。
【００５２】
報知の方法としては、音声報知あるいはＬＥＤ等の発光による表示等がある。音声報知では、声で調理中であることを使用者に伝える。使用者に伝える情報は、単に調理中であることだけではなく、例えばあと何分で調理が終了する等の、使用者に有意な情報を伝えることもできる。
【００５３】
声ではなく、音で報知することも可能であり、調理庫１０が稼働中である場合の専用の音を発したり、調理終了数分前になったら特定の長さの音を発したり等、使用者に分かりやすく音で伝えることもできる。
【００５４】
ＬＥＤ等の発光による表示による報知の例を、図７を使用して説明する。図７は本発明の実施の形態１に係る加熱調理器の本体前面側の表示手段をキッチン台に収容された状態で側面側から見た模式断面図である。図７は、図１に示すＢ−Ｂ線で切断した状態を表している。
【００５５】
調理庫１０の側方に、インバーター基板４２、電源基板４３、それらを冷却する冷却ファン４４が配設されている電気室４１が設けられている。本体１の電気室４１の前方には、扉体６のようには可動せず固定された前面板１１が取り付けられている。
【００５６】
前面板１１の表面側には前面用化粧パネル２３が取り付けられる。取付け方法については前述の扉体６と扉体用化粧パネル２１の取り付け同様、図示しないネジによる締結、図示しない爪形状と穴との係止、係合等、取付け方法については１つの方法に限らず採用可能である。
【００５７】
電気室４１の前方は温度が高くならないので、扉体６のように前面板１１に断熱構造を用いなくても、キッチン台２００の正面側に使用されている耐熱性があまり高くない面材２１４と同一の材質で前面用化粧パネル２３を構成することが可能となる。
【００５８】
前面用化粧パネル２３は、可動しない前面板１１に取り付けられるので可動しないが、前面用化粧パネル２３の上方には、扉体用化粧パネル２１に設けられた手掛け２２と同材質、同形状の手掛け状意匠部品２４が設けられていて、キッチン台２００の意匠の統一を図っている。
【００５９】
本体１の電気室４１の前方には表示手段（ＬＥＤ）２５が設けられている。この表示手段（ＬＥＤ）２５は、本体１の前面部分に設けられた本体前面光透過部１ａから光を透過させて本体１外で視認可能となる。なお、本体前面光透過部１ａは、例えば複数のスリット状の開口、あるいは複数の小径穴で構成される。
【００６０】
本体前面光透過部１ａを透過した表示手段（ＬＥＤ）２５の光は、前面用化粧パネル２３及び手掛け状意匠部品２４がその前面にあるため直接的に視認することはできない。よって、表示手段（ＬＥＤ）２５は、その光が前方斜め上方へ向くように配置されていて、その光はキッチンカウンター２０１の下面に反射し、キッチンカウンター２０１の下面と手掛け状意匠部品２４との隙間２０４で発光表示が視認できるようになっている。
【００６１】
このようにすることで、正面側にキッチン台２００の意匠と異なる構造物を設けなくても、使用者は正面側から調理庫１０が稼働中であることを確認できる。
【００６２】
図１に示すように、扉体用化粧パネル２１、前面用化粧パネル２３の横並びには収納部２１１が設けられている。収納部２１１は図６に示すように、キッチンカウンター２０１の下方でキッチン台２００内に収容される引き出し状の収納で、面材２１２と収納部手掛け２１３及びその後方に設けられた収納部箱形状２１１ａで構成されている。
【００６３】
面材２１２は、前述の面材２１４と同色、同素材で形成されている。よって、扉体用化粧パネル２１、前面用化粧パネル２３とも同色、同素材である。また、収納部手掛け２１３は手掛け２２、手掛け状意匠部品２４と同材質、同形状である。
【００６４】
以上のように調理庫１０の扉体６を断熱構造としたので、耐熱性があまり高くないキッチン台２００の正面側に使用される面材と同じ材質の部材を扉体６に取り付けることができ、加熱調理器１００の前面側意匠とキッチン台２００正面側の意匠を統一することができるので、ビルトイン（ドロップイン）タイプの加熱調理器１００を収容したキッチン台２００の意匠性が向上できる。
【００６５】
また、調理庫１０の扉体６を断熱構造としたので、使用者が触れる扉体用化粧パネル２１に、高温となる調理庫１０からの熱が伝わりにくくなり、使用者の安全性が確保できる。
【００６６】
さらに、キッチンカウンター２０１の下面と手掛け状意匠部品２４との隙間２０４で、調理庫１０が稼働中であることを確認するための発光表示が視認できるので、加熱調理器１００の前面側意匠をキッチン台２００の意匠と統一しながら、使用者が容易に調理中の確認を行うことができて、使用者の利便性も向上する。
【００６７】
実施の形態２．
本発明の実施の形態２に係る加熱調理器は、本発明の実施の形態１に係る加熱調理器と表示手段の構成が一部異なる。扉体６を含む、その他の構成は本発明の実施の形態１に係る加熱調理器と同様の構成である。よって、ここでは本発明の実施の形態１に係る加熱調理器と異なる箇所について図８、図９を用いて説明し、それ以外の説明は省略する。
【００６８】
図８は本発明の実施の形態２に係る加熱調理器の天板上から視認できる表示手段をキッチン台に収容された状態で側面側から見た模式断面図、図９は本発明の実施の形態２に係る加熱調理器をキッチン台に収容しない状態で、加熱庫の扉体を引き出した状態の１実施例の斜視図である。
【００６９】
本発明の実施の形態２に係る加熱調理器は、図８に示す調理庫１０が稼働中であることを表示する表示手段（ＬＥＤ）２６を、本体１内で天板２のトッププレート２ｂの下方に設けている。
【００７０】
加熱調理器３００の天板２のトッププレート２ｂには、図９に示すように光透過部２ｄが設けられており、調理庫１０で調理が開始されると、調理庫１０が稼働中であることを表示する表示手段（ＬＥＤ）２６が発光し、その光が光透過部２ｄを透過する。その透過した光を使用者が見て調理庫１０が稼働であることを認識できる。
【００７１】
以上のように調理庫１０が稼働中であることを表示する表示手段（ＬＥＤ）２６を天板２の上方から視認できるようにしたので、実施の形態１の加熱調理器同様、加熱調理器３００の前面側意匠をキッチン台２００正面側の意匠と統一しながら、使用者が容易に調理中の確認を行うことができて、使用者の利便性が向上する。
【００７２】
実施の形態３．
本発明の実施の形態３に係る加熱調理器は、本発明の実施の形態１に係る加熱調理器と表示手段の構成が一部異なる。扉体６を含む、その他の構成は本発明の実施の形態１に係る加熱調理器と同様の構成である。よって、ここでは本発明の実施の形態１に係る加熱調理器と異なる箇所について図１０を用いて説明し、それ以外の説明は省略する。
【００７３】
図１０は本発明の実施の形態３に係る加熱調理器の化粧パネルに設けた表示手段をキッチン台に収容された状態で側面側から見た模式断面図である。
【００７４】
図１０に示すように、本発明の実施の形態１に係る加熱調理器同様、本体１の電気室４１の前方には、扉体６のようには可動せず固定された前面板１１が取り付けられている。
【００７５】
前面板１１の表面側には前面用化粧パネル２９が取り付けられる。前面用化粧パネル２９には、調理庫１０が稼働中であることを表示する表示手段（ＬＥＤ）２７が、キッチン台２００の正面側に向かって発光するように設けられている。表示手段（ＬＥＤ）２７は図示しない接続線で本体１の制御基板４３と接続されている。図示しない接続線は前面板１１内を通過している。
【００７６】
そして、表示手段（ＬＥＤ）２７を覆うように、キッチン台２００の正面側にカバー２８が設けられている。カバー２８は、表示手段（ＬＥＤ）２７が発光したときの光が透過可能な、例えば樹脂製のシートで形成されている。
【００７７】
カバー２８は透明ではなく、その表面はキッチン台２００の意匠と同色になるよう塗装等で着色されている。よって、この着色されたカバー２８はキッチン台２００の正面側の意匠を損なうことなく、表示手段（ＬＥＤ）２７が発光、つまり調理庫１０が稼働中のときは、表示手段（ＬＥＤ）２７が発光したときの光が透過して、使用者がキッチン台２００の正面側から透過した光を確認でき、調理庫１０が稼働であることを認識できる。
【００７８】
電気室４１の前方は温度が高くならないので、扉体６のように前面板１１に断熱構造を用いなくても、耐熱性があまり高くない表示手段（ＬＥＤ）２７を前面用化粧パネル２９に設けることが可能となる。
【００７９】
前面用化粧パネル２９は、本発明の実施の形態１に係る加熱調理器同様、可動しない前面板１１に取り付けられるので可動しないが、前面用化粧パネル２９の上方には、扉体用化粧パネル２１に設けられた手掛け２２と同材質、同形状の手掛け状意匠部品２４が設けられていて、キッチン台２００の意匠の統一を図っている。
【００８０】
以上のように調理庫１０が稼働中であることを表示する表示手段（ＬＥＤ）２７を前面用化粧パネル２９に設け、そのキッチン台２００の正面側にキッチン台２００の意匠と同色の光が透過可能なカバー２８を設けたので、キッチン台２００の意匠を損なうことなく、使用者が容易に調理中の確認を行うことができて、使用者の利便性が向上する。
【００８１】
実施の形態４．
本発明の実施の形態４に係る加熱調理器は、本発明の実施の形態１に係る加熱調理器と表示手段の構成が一部異なり、調理庫内を撮影する撮影手段を備える点で異なる。それ以外の構成は本発明の実施の形態１に係る加熱調理器と同様の構成である。よって、ここでは本発明の実施の形態１に係る加熱調理器と異なる箇所について図１１、図１２を用いて説明し、それ以外の説明は省略する。
【００８２】
図１１は本発明の実施の形態４に係る加熱調理器の撮影手段をキッチン台に収容された状態で側面側から見た模式断面図、図１２は本発明の実施の形態４に係る加熱調理器をキッチン台に収容しない状態での斜視図である。
【００８３】
図１１に示すように、加熱調理器５００の調理庫５１０の上面側には調理庫上面穴５１０ａが設けられている。調理庫上面穴５１０ａは耐熱ガラス板５３で覆われ、その周囲は図示しない、例えばシリコン系接着剤が塗布されて調理庫上面穴５１０ａの外縁と隙間無く固着され、調理庫５１０内の熱や油煙が調理庫上面穴５１０ａから漏れないようになっている。耐熱ガラス板５３は、さらにガラス保持部材５４ａ、５４ｂで固定されている。
【００８４】
耐熱ガラス板５３は透明で、その上方には調理庫上面穴５１０ａから調理庫５１０内部、詳しくは焼き網８に載置されて調理庫５１０内部に収容された魚等の被調理物が撮影可能な撮影手段５２が設けられている。撮影手段５２のそばには調理庫５１０内部を照らすための調理庫内照明５５が設けられている。
【００８５】
本発明の実施の形態１に係る加熱調理器同様、扉体６は、その表面側に扉体用化粧パネル２１が取り付けられるので窓構造を備えない。よって、調理庫５１０内には外光が入らないため調理庫５１０内は暗いので、撮影手段５２で調理庫５１０内部に収容された被調理物を撮影するために、調理庫内照明５５で調理庫５１０内部を照らす必要がある。
【００８６】
調理庫５１０で調理が開始されると調理庫内照明５５が点灯し、撮影手段５２が被調理物の撮影を開始する。撮影手段５２が撮影する画像は、図１１に示す、本体１内で天板２のトッププレート２ｂの下方に設けられた画像表示手段（液晶）５１に表示される。
【００８７】
画像表示手段（液晶）５１の上方のトッププレート２ｂには、図１１、図１２に示すように表示窓６０が設けられており、この表示窓６０を介して画像表示手段（液晶）５１の表示内容を天板２の上方から視認できるようになっている。
【００８８】
画像表示手段（液晶）５１は、例えばパソコンのディスプレイのようなフルドットカラー液晶であり、撮影された被調理物をカラーで表示することが可能である。これにより調理の進行具合、言い替えると被調理物の焼け具合が画像によって確認できるので、実物を目視する必要がない。
【００８９】
以上のように調理庫５１０内部に収容された魚等の被調理物が撮影可能な撮影手段５２を設けたので、実物を目視しなくても被調理物の焼け具合が確認でき、調理の途中で調理庫５１０から引き出すことで庫内温度が低下して調理時間が長くなったり、調理の出来上がりが悪くなったり等の不具合を及ぼすことがないので、使用者の利便性が向上する。
【符号の説明】
【００９０】
１  本体、１ａ  本体前面光透過部、２  天板、２ａ  天板枠、２ｂ  トッププレート、２ｃ  排気口、２ｄ  光透過部、３ａ  左加熱口、３ｂ  右加熱口、３ｃ  中央加熱口、４  天板操作部、５ａ  左加熱口専用表示部、５ｂ  右加熱口専用表示部、５ｃ  総合表示部、６  扉体、６ａ  表面側板、６ｂ  閉塞面側板、６ｃ  断熱材、７  受け皿、８  焼き網、９ａ  排気口カバー、９ｂ  排気口カバー、１０  調理庫、１１  前面板、１２ａ  左加熱口用誘導加熱コイル、１２ｂ  右加熱口用誘導加熱コイル、１２ｃ  中央加熱口用誘導加熱コイル、１３  排気穴、１４  排気通路、２１  扉体用化粧パネル、２２  手掛け、２３  前面用化粧パネル、２４  手掛け状意匠部品、２５  表示手段（ＬＥＤ）、２６  表示手段（ＬＥＤ）、２７  表示手段（ＬＥＤ）、２８  カバー、２９  前面用化粧パネル、３１  空気層、３２  第１の空気層、３３  第２の空気層、３４  仕切り板、４１  電気室、４２  インバーター基板、４３  制御基板、４４  冷却ファン、５１  画像表示手段（液晶）、５２  撮影手段、５３  耐熱ガラス板、５４ａ  ガラス保持部材、５４ｂ  ガラス保持部材、５５  調理庫内照明、６０  表示窓、１００  加熱調理器、２００  キッチン台、２０１  キッチンカウンター、２０１ａ  開口、２０２  シンク、２０３  水栓器具、２０４  隙間、２１１  収納部、２１１ａ  収納部箱形状、２１２  面材、２１３  収納部手掛け、２１４  面材、３００  加熱調理器、４００  加熱調理器、５００  加熱調理器、５１０  調理庫、５１０ａ  調理庫上面穴。
【図１】
2017040394.tif 000003
【図２】
2017040394.tif 000004
【図３】
2017040394.tif 000005
【図４】
2017040394.tif 000006
【図５】
2017040394.tif 000007
【図６】
2017040394.tif 000008
【図７】
2017040394.tif 000009
【図８】
2017040394.tif 000010
【図９】
2017040394.tif 000011
【図１０】
2017040394.tif 000012
【図１１】
2017040394.tif 000013
【図１２】
2017040394.tif 000014